(57)【要約】【課題】耐久性及び操作性をより向上させることができるとともに、部品点数を少なくし、かつ部品の再利用可能なコード式刈払機の刈払ヘッドを提供する。【解決手段】可撓性のコードを高速回転させて草を刈るコード式刈払機の刈払ヘッドである。刈払ヘッドは、地面に当接する打当部材１０と、コードの長さを調節する操作部材２０とを有し、打当部材１０と操作部材２０との間にはベアリング３０が介装されている。また、打当部材１０及び操作部材２０には、ベアリング３０を係止する複数組の係止爪１３ａ、２３ａが設けられている。【選択図】図３
2014090683.tif 000002
【特許請求の範囲】
【請求項１】
可撓性のコードを高速回転させて草を刈るコード式刈払機の刈払ヘッドにおいて、
該刈払ヘッドは、地面に当接する打当部材と、コードの長さを調節する操作部材とを有し、
該打当部材と該操作部材との間にはベアリングが介装され、
該打当部材及び該操作部材には、該ベアリングを係止する複数組の係止爪が設けられていることを特徴とするコード式刈払機の刈払ヘッド。
【請求項２】
前記打当部材及び前記操作部材には、前記係止爪による前記ベアリングの係止を補強するストッパーが設けられていることを特徴とする請求項１記載のコード式刈払機の刈払ヘッド。
【請求項３】
前記係止爪と前記ストッパーとには、係合する凹部と凸部とが設けられていることを特徴とする請求項２記載のコード式刈払機の刈払ヘッド。
【請求項４】
前記ストッパーには、タッピングスクリューをねじ込み可能な取外し穴が設けられていることを特徴とする請求項２又は３記載のコード式刈払機の刈払ヘッド。
【請求項５】
前記打当部材と前記操作部材とには、軸心回りであって同心円状に、遊嵌される凹条と凸条とが設けられていることを特徴とする請求項１乃至４記載のコード式刈払機の刈払ヘッド。
【発明の詳細な説明】
【技術分野】
【０００１】
本発明は、可撓性のコードを高速回転させて草を刈るコード式刈払機の刈払ヘッドに関する。
【背景技術】
【０００２】
着脱可能に組み付けられたハウジングとカバーとを有し、可撓性のコードを高速回転させて草を刈るコード式刈払機の刈払ヘッドとして、特許文献１に示す構成のものが知られている。この刈払ヘッドは、操作部材（２４）がカバー（蓋板１６）より突出して設けられ、地面に当接する打当部材が操作部材（２４）の先端に一体として設けられている。そして、この打当部材に金属製の保護部材（２７）がインサート成形されている。このため、草刈作業に伴う打当部材の摩耗を抑制することができると考えられる。
【先行技術文献】
【特許文献】
【０００３】
【特許文献１】特開２００２−２９１３１５号公報（図１）
【発明の概要】
【発明が解決しようとする課題】
【０００４】
しかし、上記従来の刈払ヘッドでは、打当部材が操作部材の先端に一体として設けられているため、草刈り作業中に打当部材を地面に打ち当てたり、打当部材が地面に接触したりした場合であっても、打当部材は操作部材とともに回転してしまう。そのため、草刈作業に伴う打当部材の摩耗を完全には抑制することができない。また、打当部材に地面からの反動を受けるため、円滑な操作がし難い場合も生じ得る。したがって、草刈り作業中に打当部材を地面に打ち当てたり、打当部材が地面に接触したりした場合には、打当部材が操作部材とともに回転しないようにできれば、耐久性及び操作性をより向上させることができる。この目的を達成するため、図５に示すように、打当部材７０と操作部材７１との間にベアリング７２を設け、ボルト７３、７４及び座金７５、７６でベアリング７２を装着させた刈払ヘッドが考えられる。しかし、この刈払ヘッドでは、ボルト７３、７４及び座金７５、７６が必要であり、部品点数が多くなって、組立作業が複雑になるとともに製造コストの高騰化を招いてしまう。さらには、ボルト７３、７４及び座金７５、７６等の金属部品が多くなると刈払ヘッドの重量が増加し、操作し難くなる。
【０００５】
また、図６に示すように、アルミダイカスト等の金属性の打当部材８０と操作部材８１との間にベアリング８２を設け、凸部８０ａ、８１ａをかしめることにより、ベアリング８２を装着させた刈払ヘッドが考えられる。しかし、この刈払ヘッドでは、金属部品を採用するため重量が増加するとともに、打当部材８０と操作部材８１とを分解することができず部品を再利用することができない。
【０００６】
本発明はかかる従来の問題点に鑑みてなされたものであり、耐久性及び操作性をより向上させることができるとともに、部品点数を少なくし、かつ部品の再利用可能なコード式刈払機の刈払ヘッドを提供するものである。
【課題を解決するための手段】
【０００７】
上記の課題を解決するために、請求項１に係るコード式刈払機の刈払ヘッドの特徴は、可撓性のコードを高速回転させて草を刈るコード式刈払機の刈払ヘッドにおいて、該刈払ヘッドは、地面に当接する打当部材と、コードの長さを調節する操作部材とを有し、該打当部材と該操作部材との間にはベアリングが介装され、該打当部材及び該操作部材には、該ベアリングを係止する複数組の係止爪が設けられていることである。
【０００８】
請求項２に係るコード式刈払機の刈払ヘッドの特徴は、前記打当部材及び前記操作部材には、前記係止爪による前記ベアリングの係止を補強するストッパーが設けられていることである。
【０００９】
請求項３に係るコード式刈払機の刈払ヘッドの特徴は、前記係止爪と前記ストッパーとには、係合する凹部と凸部とが設けられていることである。
【００１０】
請求項４に係るコード式刈払機の刈払ヘッドの特徴は、前記ストッパーには、タッピングスクリューをねじ込み可能な取外し穴が設けられていることである。
【００１１】
請求項５に係るコード式刈払機の刈払ヘッドの特徴は、前記打当部材と前記操作部材とには、軸心回りであって同心円状に、遊嵌される凹条と凸条とが設けられていることである。
【発明の効果】
【００１２】
請求項１に係るコード式刈払機の刈払ヘッドにおいては、打当部材と操作部材との間にベアリングが介装されているため、打当部材と操作部材とは軸心回りに互いに自由に回動可能である。これにより、草刈り作業中に打当部材を地面に打ち当てたり、打当部材が地面に接触したりした場合には、打当部材だけを静止させることができる。そのため、打当部材の摩耗、及び地面から打当部材への反動をより抑制することができ、耐久性及び操作性をより向上させることができる。また、打当部材及び操作部材には複数組の係止爪が設けられ、この係止爪によりベアリングを係止することができる。そのため、ベアリングを係止するための特別な部品を必要とせず、部品点数を少なくすることができるうえ、打当部材と操作部材とを分解することもできる。したがって、このコード式刈払機の刈払ヘッドによれば、耐久性及び操作性をより向上させることができるとともに、部品点数を少なくし、かつ部品を再利用することもできる。
【００１３】
請求項２に係るコード式刈払機の刈払ヘッドにおいては、打当部材及び操作部材には係止爪によるベアリングの係止を補強するストッパーが設けられているため、打当部材と操作部材との間にベアリングがより強固に装着され、草刈り作業中に係止爪からベアリングが外れるのを防止することができる。
【００１４】
請求項３に係るコード式刈払機の刈払ヘッドにおいては、係止爪とストッパーとには係合する凹部と凸部とが設けられているため、ストッパーの脱落を防止することができる。
【００１５】
請求項４に係るコード式刈払機の刈払ヘッドにおいては、ストッパーにはタッピングスクリューをねじ込み可能な取外し穴が設けられている。このため、取外し穴にタッピングスクリューをねじ込むことにより打当部材と操作部材とを簡単に分解することができ、部品交換が容易になるとともに使用可能な部品を再利用し易くなる。
【００１６】
請求項５に係るコード式刈払機の刈払ヘッドにおいては、打当部材と操作部材とに、遊嵌される凹条と凸条とが設けられている。このため、打当部材と操作部材との間へのゴミの進入を抑制することができる。また、この凹条及び凸条は軸心回りであって同心円状に設けられているため、打当部材及び操作部材の軸心回りの自由な回動が妨げられることはない。
【図面の簡単な説明】
【００１７】
【図１】実施形態の刈払ヘッドを用いたコード式刈払機の斜視図。
【図２】実施形態の刈払ヘッドの分解斜視図。
【図３】実施形態の刈払ヘッドの一部断面図。
【図４】実施形態の刈払ヘッドの一部拡大断面図。
【図５】従来の刈払ヘッドの一部断面図。
【図６】従来の刈払ヘッドの一部断面図。
【発明を実施するための形態】
【００１８】
本発明に係るコード式刈払機の刈払ヘッドを具体化した実施形態を図面に基づいて以下に説明する。図１は、実施形態の刈払ヘッドを用いたコード式刈払機の斜視図である。このコード式刈払機の操作棹９０の先端部にはギアヘッド９１とカバー９２とが取付けられている。そして、ギアヘッド９１には刈払ヘッド１が回転可能に取付けられている。
【００１９】
図２に示すように、刈払ヘッド１は、カバー２、コード３、リール４、打当部材１０、操作部材２０、ベアリング３０、第１ストッパー３５、第２ストッパー４０、スプリング５、刃押え金具６、ハウジング７、及び口金７ａを有している。カバー２は略円盤状をなし、薄肉の有蓋円筒状のハウジング７と着脱可能に組み付けられる。そして、ハウジング７内には、コード３、リール４、操作部材２０、ベアリング３０、第１ストッパー３５、第２ストッパー４０、スプリング５、及び刃押え金具６が収納される。
【００２０】
リール４の外周面にはコード３が巻回され、ハウジング７に取付けられた２つの口金７ａからコード３の先端が導出される。操作部材２０はコード３の長さを調節する役目を果たす。この操作部材２０の一部がカバー２から突出し、その先端部に地面に当接する打当部材１０が組み付けられる。ベアリング３０は打当部材１０と操作部材２０との間に介装され、両者の軸心回りの独立した回動を確保する。また、第１ストッパー３５、及び第２ストッパー４０は、ベアリング３０を打当部材１０と操作部材２０との間に、より強固に装着するものである。さらに、スプリング５は打当部材１０、操作部材２０等をハウジング７と離反する方向に押圧するものであり、刃押え金具６はギアボックス９１に刈払ヘッド１を固着させる場合に使用するものである。
【００２１】
図３及び図４に示すように、打当部材１０は、底部１１と台座部１２とラッチ部１３とからなる。底部１１は円盤状をなし、底部１１の周縁部には凹条１１ａが軸心回りに設けられている。また、凹条１１ａ及びその両側には、小さな凸条１１ｄ，１１ｅ，１１ｆが軸心回りに、かつ同心円状に設けられている。台座部１２は円筒状をなし、底部１１の中央部に一体として設けられている。台座部１２上には、径方向外側に段差１２ａを有して、４個のラッチ部１３が等間隔で同心円状に一体として立設されている。また、ラッチ部１３の先端には径方向外側に突出する係止爪１３ａが形成され、係止爪１３ａの径方向内側面には凹部１３ｂが形成されている。
【００２２】
操作部材２０は有底円筒状をなし、略円筒状の円筒部２１と底部２２とラッチ部２３とからなる。底部２２の打当部材１０側には、凸条２２ａが軸心回りに設けられ、打当部材１０の凹条１１ａに遊嵌されている。また、凸条２２ａ及びその両側には、小さな凹条２２ｄ，２２ｅ，２２ｆが軸心回りに、かつ同心円状に設けられている。そして、この凹条２２ｄ，２２ｅ，２２ｆに打当部材１０の凸条１１ｄ，１１ｅ，１１ｆが遊嵌されている。また、底部２２の中央には、打当部材１０の台座部１２、ラッチ部１３が挿入される挿入孔２２ｂが形成されている。底部２２の打当部材１０側と反対側には、径方向内側に段差２２ｃを有して、４個のラッチ部２３が等間隔で同心円状に一体として立設されている。各ラッチ部２３の先端には径方向内側に突出する係止爪２３ａが形成され、係止爪２３ａの径方向外側面には凹部２３ｂが形成されている。
【００２３】
第１ストッパー３５は円筒状をなし、操作部材２０の円筒部２１の内周面とラッチ部２３との間に嵌入される。第１ストッパー３５の内周面には凸部３５ａが形成され、操作部材２０の凹部２３ｂと係合している。さらに、第１ストッパー３５の上面には、タッピングスクリューをねじ込み可能な取外し穴３５ｂが設けられている。
【００２４】
第２ストッパー４０は略円柱状をなし、打当部材１０の４個のラッチ部１３の間に嵌入される。第２ストッパー４０の外周面には凸部４０ａが形成され、打当部材１０の凹部１３ｂと係合している。さらに、第２ストッパー４０の上面には、タッピングスクリューをねじ込み可能な取外し穴４０ｂが設けられている。
【００２５】
上記の構成をした刈払ヘッド１について、打当部材１０、操作部材２０、ベアリング３０、第１ストッパー３５、及び第２ストッパー４０の組み付けについて説明する。操作部材２０の挿入孔２２ｂに打当部材１０の台座部１２、ラッチ部１３を挿入する。そして、操作部材２０側からベアリング３０をラッチ部１３とラッチ部２３との間に挿入すると、まず、ベアリング３０により係止爪１３ａ、２３aが押され、ラッチ部１３、２３が撓んで係止爪１３ａ、２３aが互いに離反する方向に移動する。そして、ベアリング３０が段差１２ａ、２２ｃに達すると、係止爪１３ａ、２３aへの荷重が取り除かれるため、ラッチ部１３、２３の撓みが取り除かれて係止爪１３ａ、２３aが互いに接近する方向に移動して元の位置に戻る。これにより、打当部材１０と操作部材２０との間にベアリング３０が嵌合され、打当部材１０、操作部材２０、及びベアリング３０が組み付けられる。
【００２６】
次に、第１ストッパー３５を操作部材２０の円筒部２１の内周面とラッチ部２３との間に嵌入する。この際、凸部３５ａとラッチ部２３の凹部２３ｂとを係合させる。さらに、第２ストッパー４０を打当部材１０の４個のラッチ部１３の間に嵌入する。この際、凸部４０ａとラッチ部１３の凹部１３ｂとを係合させる。こうして、第１ストッパー３５、及び第２ストッパー４０が組み付けられ、その他、リール４、スプリング５等が組み付けられて刈払ヘッド１の組付けが完成する。
【００２７】
実施形態のコード式刈払機の刈払ヘッドにおいては、打当部材１０と操作部材２０との間にベアリング３０が介装されているため、打当部材１０と操作部材２０とは軸心回りに互いに自由に回動可能である。これにより、草刈り作業中に打当部材１０を地面に打ち当てたり、打当部材１０が地面に接触したりした場合には、打当部材１０だけを静止させることができる。そのため、打当部材１０の摩耗、及び地面から打当部材１０への反動をより抑制することができ、耐久性及び操作性をより向上させることができる。また、打当部材１０及び操作部材２０には複数組の係止爪１３ａ、２３ａが設けられ、この係止爪１３ａ、２３ａによりベアリング３０を係止することができる。そのため、ベアリング３０を係止するための特別な部品を必要とせず、部品点数を少なくすることができるうえ、打当部材１０と操作部材２０とを分解することもできる。したがって、このコード式刈払機の刈払ヘッドによれば、耐久性及び操作性をより向上させることができるとともに、部品点数を少なくし、かつ部品を再利用することもできる。
【００２８】
また、このコード式刈払機の刈払ヘッドにおいては、打当部材１０及び操作部材２０には係止爪１３ａ、２３ａによるベアリング３０の係止を補強する第１ストッパー３５、第２ストッパー４０が設けられているため、打当部材１０と操作部材２０との間にベアリング３０がより強固に装着され、草刈り作業中に係止爪１３ａ、２３ａからベアリング３０が外れるのを防止することができる。
【００２９】
さらに、このコード式刈払機の刈払ヘッドにおいては、係止爪１３ａ、２３ａと第１ストッパー３５、第２ストッパー４０とには係合する凹部１３ｂ、２３ｂと凸部３５ａ、４０ａが設けられているため、第１ストッパー３５、第２ストッパー４０の脱落を防止することができる。
【００３０】
また、このコード式刈払機の刈払ヘッドにおいては、第１ストッパー３５、第２ストッパー４０にはタッピングスクリューをねじ込み可能な取外し穴３５ｂ、４０ｂが設けられている。このため、取外し穴３５ｂ、４０ｂにタッピングスクリューをねじ込むことにより打当部材１０と操作部材２０とを簡単に分解することができ、部品交換が容易になるとともに使用可能な部品を再利用し易くなる。
【００３１】
さらに、このコード式刈払機の刈払ヘッドにおいては、打当部材１０と操作部材２０とに、遊嵌される凹条１１ａ、２２ｄ、２２ｅ、２２ｆと凸条２２ａ、１１ｄ、１１ｅ、１１ｆａとが設けられている。このため、打当部材１０と操作部材２０との間へのゴミの進入を抑制することができる。また、この凹条１１ａ、２２ｄ、２２ｅ、２２ｆ及び凸条２２ａ、１１ｄ、１１ｅ、１１ｆａは軸心回りであって同心円状に設けられているため、打当部材１０及び操作部材２０の軸心回りの自由な回動が妨げられることはない。
【００３２】
以上、本発明のコード式刈払機の刈払ヘッドを実施形態に即して説明したが、本発明はこれらに制限されるものではなく、本発明の技術的思想に反しない限り、適宜変更して適用できることはいうまでもない。例えば、実施形態において、ラッチ部１３、２３に凹部１３ｂ、２３ｂが設けられ、第１ストッパー３５、第２ストッパー４０に凸部３５ａ、４０ａが設けられているが、ラッチ部１３、２３に凸部を設け、第１ストッパー３５、第２ストッパー４０に凹部を設けてもよい。また、打当部材１０に凹条１１ａが設けられ、操作部材２０に凸条２２ａが設けられているが、打当部材１０に凸条を設け、操作部材２０に凹条を設けてもよい。
【符号の説明】
【００３３】
１０…打当部材、２０…操作部材、１１，２２…底部、１１ａ，２２ｄ，２２ｅ，２２ｆ…凹条、１１ｄ，１１ｅ，１１ｆ，２２ａ…凸条、１２…台座部、１３，２３…ラッチ部、１３ａ，２３ａ…係止爪、１３ｂ，２３ｂ…凹部、２１…円筒部、３０…ベアリング、３５，４０…ストッパー（３５…第１ストッパー，４０…第２ストッパー）、３５ａ，４０ａ…凸部、３５ｂ，４０ｂ…取外し穴。
【図１】
2014090683.tif 000003
【図２】
2014090683.tif 000004
【図３】
2014090683.tif 000005
【図４】
2014090683.tif 000006
【図５】
2014090683.tif 000007
【図６】
2014090683.tif 000008